(57)【要約】【課題】消費電力を低減し、かつ、マルチパス、同一チャネル妨害および隣接チャネル妨害がある受信環境でも適切な受信切替えを行う。【解決手段】受信信号品質検出処理部１１にて制御信号の受信信号品質を検出し、ダイバーシチ受信による正常受信が可能かどうかの判断に際しては単一ブランチ受信での制御信号の誤り率を基準にするようにするとともに、情報信号の復号部、再生処理部、表示部に対する給電を制御する情報信号復号部電源制御部１８、情報信号再生処理部電源制御部１６、表示部電源制御部１７と、各受信ブランチに対する給電を制御する受信処理部電源制御部ａ４、受信処理部電源制御部ｂ６を持ち、単一ブランチ受信によるダイバーシチ受信による正常受信が可能かどうかの検出実行時には、使用しない受信ブランチおよび情報信号の再生処理を行う各部への給電を停止する。【選択図】        図１
2004320528.tif 000002
【特許請求の範囲】
【請求項１】
誤り訂正符号等を用いて伝送時の誤りが検出可能な制御信号と情報信号の符号化パラメータまたは変調パラメータが異なり、制御信号の所要Ｃ／Ｎ比が情報信号の所要Ｃ／Ｎ比と比較して低い通信システムで用いる、複数のブランチを有するダイバーシチ受信装置において、制御信号の誤り率を基準にして制御信号の受信品質を検出する受信信号品質検出手段と、情報信号の復号部、再生処理部、または表示部に対する給電を制御する第１の電源制御手段と、複数の受信ブランチに対する給電を制御する第２の電源制御手段を持ち、制御信号の誤り率が所定の値以上になった場合には、上記電源制御手段により、情報信号の復号部、再生処理部、または表示部に対する給電を停止するとともに、複数の受信ブランチを用いた受信から単一ブランチでの受信に切替え、使用しない受信ブランチへの給電を停止し、一方、制御信号の誤り率が所定の値以下になった場合には、情報信号の復号部、再生処理部、表示部に対する給電、および使用していない受信ブランチへの給電を再開するとともに、単一ブランチでの受信から複数の受信ブランチを用いた受信に切替えるようにしたことを特徴とするダイバーシチ受信装置。
【請求項２】
誤り訂正符号等を用いて伝送時の誤りが検出可能な情報信号を無線伝送するシステムで用いる、複数の受信ブランチを備えたダイバーシチ受信装置において、情報信号を受信し、この受信信号の誤差を検出する誤差検出部と、予め設定したしきい値と上記誤差を比較する比較処理部と、複数の受信ブランチに対する給電を制御する電源制御手段を持ち、上記受信信号の誤差が前記しきい値より小さくなった場合には、複数の受信ブランチを用いた受信から単一ブランチでの受信に切替え、使用しない受信ブランチへの給電を停止し、一方、単一ブランチでの受信時に上記受信信号の誤差が前記しきい値より大きくなった場合、または情報信号の誤り率が所定の値以上になった場合には、使用していない受信ブランチへの給電を再開するとともに、単一ブランチでの受信から複数の受信ブランチを用いた受信に切替えるようにしたことを特徴とするダイバーシチ受信装置。
【請求項３】
制御信号の誤り率が所定の値以上になった場合には、情報信号の復号部、再生処理部、表示部に対する給電を停止するとともに、複数の受信ブランチを用いた受信から単一ブランチでの受信に切替え、単一ブランチでの受信時には、所定の時間間隔でのみ受信復調部を動作させ間欠的に受信するようにしたことを特徴とする請求項１に記載のダイバーシチ受信装置。
【請求項４】
複数の受信ブランチを用いた受信手段は、各復調信号に対して重み付け係数を積算し、積算後の各復調信号を合成して出力することを特徴とする請求項１または請求項２に記載のダイバーシチ受信装置。
【請求項５】
前記複数の受信ブランチを用いた受信手段は、各復調信号の推定誤差を求め、その推定誤差が最小の復調信号を選択して出力することを特徴とする請求項１または請求項２に記載のダイバーシチ受信装置。
【請求項６】
前記誤差検出手段は、変調方式に応じて硬判定を行った後の情報信号値と硬判定前の受信情報信号値の差の二乗値を用い、前記しきい値との比較を行う場合には硬判定後の情報信号には誤りが無い時の誤差を用いることを特徴とする請求項２に記載のダイバーシチ受信装置。
【請求項７】
第１の所要Ｃ／Ｎ比で放送される情報信号、及び第１の所要Ｃ／Ｎ比よりも雑音に強い第２の所要Ｃ／Ｎ比で放送される制御信号を含むディジタル地上波放送を受信するダイバーシチ受信装置において、前記情報信号及び前記制御信号を含む第１の受信信号を受信する第１のブランチと、前記情報信号及び前記制御信号を含む第２の受信信号を受信する第２のブランチと、前記第１の受信信号及び第２の受信信号を合成する、あるいは前記第１の受信信号及び前記第２の受信信号のいずれかを選択する合成選択処理部と、前記合成選択処理部で合成または選択された情報信号を処理する情報信号処理部と、前記合成選択処理部で合成または選択された受信信号に含まれる制御信号の誤り率に基づき、前記第１のブランチ、前記第２のブランチ、前記情報処理部の少なくともいずれかへの給電を制御する電源制御部とを備えたことを特徴とするダイバーシチ受信装置。
【請求項８】
前記情報処理部は、前記情報信号に含まれる映像情報を表示する表示部を備え、前記電源制御部は、前記合成選択処理部で合成または選択された受信信号に含まれる制御信号の誤り率に基づき、前記表示部の画面の明るさ及び／または輝度を低下させ、あるいは前記表示部の画面をオフすることを特徴とする請求項７に記載のダイバーシチ受信装置。
【請求項９】
前記情報信号処理部は、前記情報信号に含まれる音声情報を出力する音声出力部を備え、前記音声出力部は、前記電源制御部による制御により前記表示部の画面の明るさ及び／または輝度が低下し、あるいは前記表示部の画面がオフであるときに、音声を出力し、あるいは音量を下げて音声を出力することを特徴とする請求項８に記載のダイバーシチ受信装置。
【発明の詳細な説明】
【０００１】
【発明の属する技術分野】
この発明は、放送または通信の無線伝送信号の受信に使用されるダイバーシチ受信装置に関するものである。
【０００２】
【従来の技術】
従来のダイバーシチ受信装置においては、ダイバーシチ判定部により、復調論理回路が出力する受信品質と、受信電界検出回路が出力する受信電界強度と、フェージングピッチ検出回路が出力するフェージングピッチと、メモリのしきい値とを比較して、ＲＦスイッチおよび論理スイッチの切替動作を制御するように構成している。また、電源制御部により、合成ダイバーシチの場合は全ての回路に電源を与えてオンとし、アンテナ選択切替ダイバーシチの場合は、無線部受信回路、位相検波器および合成回路への電源を切断するように構成している。（例えば、特許文献１参照）
【０００３】
【特許文献１】
特開２０００−３５７９８３号公報
【０００４】
【発明が解決しようとする課題】
従来のダイバーシチ受信装置は以上のように構成されているので、受信品質が劣化し、復調データに誤りが多い場合でも全ての回路に電源を与え続ける必要があり、消費電力が大きくなるという問題点があった。また、受信電界検出回路が出力する受信電界強度を判定条件に用いるために、マルチパス、同一チャネル妨害および隣接チャネル妨害がある受信環境では判定が適切に行われないという問題点があった。
【０００５】
この発明は上記のような問題点を解消するためになされたもので、受信品質が劣化し、復調データに誤りが多い場合には、消費電力を低減することができ、また、マルチパス、同一チャネル妨害および隣接チャネル妨害がある環境においても、ダイバーシチ方式の切替が精度良く実施できるダイバーシチ受信装置を得ることを目的としている。
【０００６】
【課題を解決するための手段】
この発明に係るダイバーシチ受信装置は、制御信号に対する受信信号品質検出手段と、情報信号の復号部、再生処理部、表示部に対する給電を制御する手段と、複数の受信ブランチに対する給電を制御する手段を持ち、制御信号の誤り率が所定の値以上になった場合には、情報信号の復号部、再生処理部、表示部に対する給電を停止するとともに、複数の受信ブランチを用いた受信から単一ブランチでの受信に切替え、使用しない受信ブランチへの給電を停止する。一方、制御信号の誤り率が所定の値以下になった場合には、情報信号の復号部、再生処理部、表示部に対する給電および使用していない受信ブランチへの給電を再開するとともに、単一ブランチでの受信から複数の受信ブランチを用いた受信に切替えるようにしたものである。
【０００７】
更に、この発明に係るダイバーシチ受信装置は、情報信号の受信信号の誤差を検出する誤差検出部と予め設定されたしきい値と誤差を比較する比較処理部と複数の受信ブランチに対する給電を制御する手段を持ち、情報信号の受信信号の誤差が前記しきい値より小さくなった場合には、複数の受信ブランチを用いた受信から単一ブランチでの受信に切替え、使用しない受信ブランチへの給電を停止し、一方、単一ブランチでの受信時に情報信号の受信信号の誤差が前記しきい値より大きくなった場合、または情報信号の誤り率が所定の値以上になった場合には、使用していない受信ブランチへの給電を再開するとともに、単一ブランチでの受信から複数の受信ブランチを用いた受信に切替えるようにしたものである。
【０００８】
【発明の実施の形態】
実施の形態１．
図１はこの発明の実施の形態１に係るダイバーシチ受信装置を示す構成図であり、このダイバーシチ受信装置は一例としてａ、ｂの２つのブランチを有するものであり、ａブランチは、アンテナａ１、アンテナａ１からの受信ＲＦ信号をベースバンド信号に変換する周波数変換部ａ２、周波数変換部ａ２の出力信号に対して復調に必要な信号処理の前半部分を行うベースバンド復調前処理部ａ３、アンテナａ１、周波数変換部ａ２、ベースバンド復調前処理部ａ３への供給電源を制御する受信処理部電源制御部ａ４を備えている。また、ｂブランチは、アンテナｂ５、アンテナｂ５からの受信ＲＦ信号をベースバンド信号に変換する周波数変換部ｂ６、周波数変換部ｂ６の出力信号に対して復調に必要な信号処理の前半部分を行うベースバンド復調前処理部ｂ７、アンテナｂ５、周波数変換部ｂ６、ベースバンド復調前処理部ｂ７の供給電源を制御する受信処理部電源制御部ｂ８を備えている。
【０００９】
重み付け合成処理部９は、ベースバンド復調前処理部ａ３の出力信号とベースバンド復調前処理部ｂ７の出力信号に対して重み付け合成を行う。重み付け合成処理部９の出力信号に対して復調に必要な信号処理の後半部分をベースバンド復調後処理部１０で行う。さらに、重み付け合成処理部９の出力信号の品質を検出する受信信号品質検出処理部１１、ベースバンド復調後処理部１０の出力信号のうち情報信号を復号する情報信号復号部１２、ベースバンド復調後処理部１０の出力信号のうち制御信号を復号する制御信号復号部１３を備えている。
【００１０】
情報信号復号部１２の出力信号に対して情報信号再生処理部１４で再生処理をおこない、情報信号再生処理部１４で再生した映像信号等を表示部１５で表示する。情報信号再生処理部１４への供給電源制御を情報信号再生処理部電源制御部１６で行い、表示部１５への供給電源制御を表示部電源制御部１７で行い、情報信号復号部１２への供給電源制御を情報信号復号部電源制御部１８で行っている。
【００１１】
図２はこの発明によるダイバーシチ受信装置の受信電界強度に対する動作の一例を示す概念図であり、詳細は後述する。
【００１２】
図３はこの発明の実施の形態１に係るダイバーシチ受信装置の動作を説明する際に用いる送信装置の伝送路符号化部系統の一例を示すブロック図であり、ＴＳ（トランスポートストリーム）化処理部１０１は情報信号、制御信号のトランスポートストリーム化を行う。ＴＳ化処理部１０１の出力信号に対し外符号化処理部１０２で外符号化を行う。外符号化処理部１０２の出力信号に対し内符号化などを行う内符号化処理部１０３で内符号化を行う。キャリア変調処理部１０４は内符号化処理部１０３の出力信号に対し変調マッピングを行う。
【００１３】
ＯＦＤＭフレーム構成処理部１０５はキャリア変調処理部１０４の出力信号に対しＯＦＤＭフレームを構成する。ＩＦＦＴ処理部１０６はＯＦＤＭフレーム構成処理部１０５の出力信号を逆フーリエ変換する。ＩＦＦＴ処理部１０６の出力信号はＤ／Ａ変換部１０７でＤ／Ａ変換され、周波数変換部１０８で周波数変換され、電力増幅部１０９で増幅された後、アンテナ１１０から送信される。
【００１４】
図４は情報信号の構成の一例を示すイメージ図、図５は制御信号の構成の一例を示すイメージ図、図６はＯＦＤＭ信号での情報信号と制御信号のキャリア配列を示すイメージ図である。
【００１５】
図７は図１に示されたベースバンド復調前処理部ａ３の内部構成例を示すブロック図であり、入力端子２０、周波数変換部ａ２の出力信号に対してＡ／Ｄ変換を行うＡ／Ｄ変換部２１、Ａ／Ｄ変換部２１の出力信号に対して直交復調を行うディジタル直交復調処理部２２、ディジタル直交復調処理部２２の出力信号に対してＦＦＴ処理を行う離散フーリエ変換部２３、出力端子２４を備えている。
【００１６】
図８は図１に示された重み付け合成処理部９の内部構成例を示すブロック図であり、入力端子ａ３０はベースバンド復調前処理部ａ３の出力信号を入力する入力端子である。入力端子ｂ３１はベースバンド復調前処理部ｂ７の出力信号を入力する入力端子である。また、入力端子３２は受信信号品質検出処理部１１の出力信号を入力する入力端子である。乗算器ａ３３は、入力端子ａ３０から入力されるベースバンド復調前処理部ａ３の出力信号に重み付け係数ａを乗じる。乗算器ｂ３４は、入力端子ｂ３１から入力されるベースバンド復調前処理部ｂ７の出力信号に重み付け係数ｂを乗じる。重み付け係数ａおよび重み付け係数ｂは係数演算回路３５で生成される。乗算器ａ３３の出力結果と乗算器ｂ３４の出力結果は加算器３６で加算される。
【００１７】
加算器３７は、加算器３６の演算結果と参照信号の差を取り、誤差信号を発生する。判定器３８は加算器３６の出力信号を変調方式に応じて硬判定する。参照信号発生回路３９は参照信号を発生する。スイッチ回路４０は加算器３７への入力信号系列を判定器３８の出力信号系列と参照信号系列に切替える。重み付け合成結果は出力端子４１からベースバンド復調後処理部１０に出力され、また、誤差信号は出力端子４２から受信信号品質検出処理部１１に出力される。
【００１８】
図９は図１に示されたベースバンド復調後処理部１０の内部構成例を示すブロック図であり、入力端子５０、重み付け合成処理部９の出力信号に対してＯＦＤＭフレームを再構成した後に情報信号と制御信号を分離するＯＦＤＭフレームデコード処理部５１、分離された情報信号と制御信号に対してそれぞれデマッピングを行い信号を復調するデマッピング処理部５２、デマッピング処理部５２にて復調された情報信号と制御信号に対しデパンクチャ処理を行うデパンクチャ処理部５３、デパンクチャ処理部５３の出力信号に対して畳み込み符号化に対するビタビ復号を行うビタビ復号処理部５４、情報信号の出力端子５５、制御信号の出力端子５６から構成される。
【００１９】
図１０は図１に示された受信信号品質検出処理部１１の内部構成例を示すブロック図である。入力端子ａ６０には、重み付け合成処理部９より出力される誤差信号が入力される。入力端子ｂ６１には、情報信号復号部１２の出力信号が入力される。また、入力端子ｃ６２には、制御信号復号部１３の出力信号が入力される。入力端子６０より入力される誤差信号は推定誤差検出部６３で二乗された後、情報信号復号部１２の出力信号の情報を用いて平均化処理部ａ６４で平均化処理が行われる。
【００２０】
比較処理部ａ６６は、予め定めたしきい値と平均化処理部ａ６４の出力信号を比較する。受信処理部電源制御信号発生部６７は、比較処理部ａ６６の出力信号を入力とし、周波数変換部とベースバンド部に対する電源制御信号を発生する。平均化処理部ｂ６８は、情報信号復号部１２の出力信号を平均化する。同様に、平均化処理部ｃ６９は制御信号復号部１３の出力信号を平均化する。
【００２１】
比較処理部ｂ７０は、平均化処理部ｂ６８または平均化処理部ｃ６９の出力値を許容値と比較する。比較処理部ｃ７１は、平均化処理部ｃ６９の出力値をしきい値と比較する。重み付け合成処理部制御信号発生部７２は、比較処理部ａ６６、比較処理部ｂ７０、比較処理部ｃ７１の出力信号に従い重み付け合成処理部９に対する制御信号を発生する。情報信号再生処理部電源制御信号発生部７３は、比較処理部ｂ７０の出力信号に従い、情報信号再生処理部電源制御部１６、表示部電源制御部１７、情報信号復号部電源制御部１８に制御信号を供給する。
【００２２】
受信処理部電源制御信号発生部６７は出力端子ａ７４を、受信処理部電源制御信号発生部６７は出力端子ｂ７５を、重み付け合成処理部制御信号発生部７２は出力端子７６を、情報信号再生処理部電源制御信号発生部７３は出力端子７７をそれぞれ有している。
【００２３】
次に、この発明の概念について図２に従って説明する。この発明によるダイバーシチ受信装置は、受信信号の品質を検出し、その検出結果によって、単一ブランチでの受信か、ダイバーシチ受信かを選択するとともに、受信装置において不要な部分の給電を停止することによって、受信装置全体の消費電力を低減させるものである。
【００２４】
図２は、この発明によるダイバーシチ受信装置の受信電界強度に対する動作の一例を示す概念図であり、単一ブランチ受信時の情報信号受信可能領域をＥ１ｄＢｍ以上（周波数変換部での入力レベル）、単一ブランチ受信時の制御信号受信可能領域をＥ２ｄＢｍ以上（周波数変換部での入力レベル）、ダイバーシチ受信時の情報信号受信可能領域をＥ３ｄＢｍ以上（周波数変換部での入力レベル）、ダイバーシチ受信時の制御信号受信可能領域をＥ４ｄＢｍ以上（周波数変換部での入力レベル）とした時の本ダイバーシチ受信機の動作の一例であり、モード移行時の受信信号品質の判断基準を各モードの受信可能領域に精度良く合わせることによって、高精度な受信モードの切替制御が可能になるとともに効率よく受信装置全体の消費電力が低減できる。
【００２５】
受信装置では初めに、ａ、ｂ２つの受信ブランチのどちらかを選択し、情報信号の誤り検出を行う。情報信号に誤りがない場合にはこのブランチでの受信を続けるとともに、選択されていない受信ブランチの周波数変換部およびベースバンド前処理部の給電はＯＦＦにする（単一受信モード１）。
【００２６】
単一受信モード１において、移動等で受信環境が変化し、情報信号の誤り率が予め定めた値以上になった場合には、選択されていなかった受信ブランチの周波数変換部およびベースバンド前処理部の給電を再開し、単一受信モード１からダイバーシチ受信モードに切替えることによって情報信号の受信可能領域を広げる。
【００２７】
ダイバーシチ受信モードにおいては、情報信号の二乗誤差により受信品質を検出し、その二乗誤差と予め設定されたしきい値と比較を行う。移動等で受信環境が変化し、その二乗誤差がしきい値より小さくなった場合には、受信環境が改善されたと判断し、単一受信モード１に移行する。
【００２８】
また、ダイバーシチ受信モードにおいては制御信号の誤り検出を実施し、制御信号の誤り率を測定する。そして、移動等で受信環境が変化し、その誤り率が予め定めた値以上になった場合には、情報信号の正常な受信ができないと判断し、情報信号の再生を停止するとともに、ダイバーシチ受信モードから単一受信モード２に移行する。
【００２９】
単一受信モード２では、２つの受信ブランチのどちらかを選択し、引き続き制御信号の誤り検出を行う。この時、選択されていない受信ブランチの周波数変換部およびベースバンド前処理部の給電はＯＦＦする。また、情報信号復号部、再生処理部、表示部の給電についてもＯＦＦにする。
【００３０】
単一受信モード２では、移動等で受信環境が変化し、制御信号の誤り率が予め定めた値以下になった場合には、受信信号の品質が改善されたと判断し、選択されていなかった受信ブランチの周波数変換部およびベースバンド前処理部の給電を再開し、単一受信モード２からダイバーシチ受信モードに移行する。また、この時、情報信号復号部、再生処理部、表示部の給電を再開し、情報信号の再生を行う。
【００３１】
次に動作を説明する。この発明の実施の形態１では、伝送方式をＯＦＤＭ（直交周波数分割多重）とし、送信装置が図３に示すブロック図で表される場合の無線通信システムで用いるダイバーシチ受信装置の動作について説明する。
【００３２】
送信装置では、ＴＳ化処理部１０１において、情報信号および制御信号のＴＳ化を行い、外符号化処理部１０２において外符号としてＲＳ（リードソロモン）符号を適用する。ここで情報信号は画像や音声の圧縮信号、制御信号はシステムのパラメータとする。図４に外符号処理部１０２から出力される情報信号を含んだパケットの構成の一例、図５に外符号処理部１０２から出力される制御信号を含んだパケットの構成の一例を示す。
【００３３】
外符号化処理部１０２の出力信号は、内符号化処理部１０３でパンクチャード畳み込み符号化される。このとき、情報信号の符号化率を１／２、制御信号の符号化率を１／２とする。
【００３４】
内符号化処理部１０３の出力信号はキャリア変調処理部１０４で変調マッピングされる。このとき情報信号を含んだパケットに対しては１６ＱＡＭ変調、制御信号を含んだパケットに対してはＤＱＰＳＫ変調でマッピングをする。
【００３５】
この実施の形態では、このように情報信号に対するパンクチャード畳み込み符号化率を１／２、変調方式を１６ＱＡＭとし、一方、制御信号に対してはパンクチャード畳み込み符号化率を１／２、変調方式をＤＱＰＳＫとしているため、（デジタル放送用受信装置、標準規格（望ましい仕様）ＡＲＩＢ  ＳＴＤ−Ｂ２１３．０版のＰ．２１２の表１−４に示されているように）ほぼエラーフリーとなる所要Ｃ／Ｎ比の差は５．３ｄＢとなり、制御信号のほうが情報信号に対して５．３ｄＢ受信可能領域が広くなる。
【００３６】
キャリア変調処理部１０４の出力信号はＯＦＤＭフレーム構成処理部１０５において、ＯＦＤＭ信号の各キャリアに対して分配される。また、このとき、予め定められた部分に既知参照信号が挿入される。図６に、この時の情報信号を含んだパケットのキャリアと制御信号を含んだパケットのキャリア配列の一例を示す。
【００３７】
ＯＦＤＭフレーム構成処理部１０５の出力信号は、ＩＦＦＴ処理部１０６において、逆フーリエ変換により、周波数領域の信号から時間領域の信号に変換され、ベースバンドデジタル変調信号となる。
【００３８】
Ｄ／Ａ変換部１０７においてＤ／Ａ変換された後、周波数変換部１０８においてＲＦ信号に変換される。そして、周波数変換部１０８の出力信号は増幅器１０９によって増幅された後に、アンテナ１１０より送信される。
【００３９】
次にダイバーシチ受信装置の動作について、図１に従って説明する。ダイバーシチ受信モードの場合、アンテナａ１で受信されたＲＦ信号は周波数変換部ａ２によってベースバンド信号に変換され、ベースバンド復調前処理部ａ３で変調方式に応じた復調処理が実施される。
【００４０】
図７に示すベースバンド復調前処理部ａ３では、入力端子２０より入力されるベースバンドアナログ信号は、Ａ／Ｄ変換部２１でベースバンドアナログ信号からデジタル信号に変換される。次にデジタル直交復調処理部２２において直交、同相成分に分解された後に、離散フーリエ変換部２３において、時間領域から周波数領域の信号へ変換され、出力端子２４から重み付け合成処理部９へ出力される。
【００４１】
一方、アンテナｂ５で受信されたＲＦ信号は周波数変換部ｂ６によってベースバンド信号に変換され、ベースバンド復調前処理部ｂ７で変調方式に応じた復調処理が実施される。ベースバンド復調前処理部ｂ７はベースバンド復調前処理部ａ３と同一の構成で、ベースバンド復調前処理部ａ３と同一の処理が行われ、出力信号は重み付け合成処理部９へ出力される。
【００４２】
なお、単一受信モード１および単一受信モード２の場合には、上記２つの受信ブランチのうち給電されるのは片方のみとなる。
【００４３】
ダイバーシチ受信モードの場合、図８に示す重み付け合成処理部９では、入力端子ａ３０より入力される復調前処理部ａ３の出力信号に対して、係数演算回路３５の定める係数ａを乗算器ａ３３にて乗じ、重み付けをする。  また、入力端子ｂ３１より入力される復調前処理部ｂ７の出力信号に対して、係数演算回路３５の定める係数ｂを乗算器ｂ３４にて乗じ、重み付けをする。加算器３６では、乗算器ａ３３と乗算器ｂ３４の出力結果を加算し、その結果を出力端子４１からベースバンド復調後処理部１０へ出力する。
【００４４】
判定器３８では、加算器３６からの出力信号に対し変調方式に応じた硬判定を行う。スイッチ回路４０では、送信側で挿入された既知参照信号に対応する受信信号に対して重み付け合成を行っているときは、参照信号発生回路３９より入力される参照信号系列を出力し、それ以外のランダムデータに対応する受信信号に対して重み付け合成を行っているときは、判定器３８の出力信号系列を出力する。加算器３７は加算器３６の演算結果とスイッチ回路４０の出力、すなわち希望信号との差をとり、誤差信号を発生し、その結果を係数演算回路３５に出力する。
【００４５】
係数演算回路３５では、ベースバンド復調前処理部ａ３の出力信号とベースバンド復調前処理部ｂ７の出力信号と、加算器３７の出力信号系列すなわち誤差信号を用い、タップ係数更新アルゴリズムを用い、１シンボル毎に乗算器ａ３３の係数ａ及び乗算器ｂ３４の係数ｂを更新する。このタップ係数更新アルゴリズムにはＲＬＳアルゴリズム、またはＬＭＳアルゴリズムを用い、加算器３７の出力信号系列すなわち誤差信号の二乗誤差が最小となるようにタップ係数を更新する。このタップ係数更新アルゴリズムについては、Ｓ・ヘイキン著、武部幹訳：”適応フィルタ  入門”，第５章，現代工学社（１９８７），またはＪ．Ｇ．ＰＲＯＡＫＩＳ：”ＤＩＧＩＴＡＬ    ＣＯＭＭＵＮＩＣＡＴＩＯＮ”，６．８章，ＭｃＧＲＡＷ−ＨＩＬＬ（１９８３）に詳しく示されている。また、前記誤差信号は出力端子４２より受信信号品質検出処理部１１に出力される。
【００４６】
一方、単一受信モード１および２の場合には、入力端子３２より入力される制御信号に従い、動作していない受信ブランチからの入力信号のタップ係数を常に０として重み付け合成処理部の動作を実行させる。
【００４７】
重み付け合成処理部９の出力信号に対して、ベースバンド復調後処理部１０では情報信号と制御信号への分離および復調処理を行い、情報信号復号部１２、制御信号復号部１３へそれぞれ出力する。
【００４８】
図９に示すベースバンド復調後処理部では、入力端子５０より入力される重み付け合成処理部９の出力信号に対して、ＯＦＤＭフレームデコード処理部５１にてＯＦＤＭのフレームを再構成し、情報信号と制御信号を分離する。分離された情報信号と制御信号はデマッピング処理部５２において、それぞれ復調される。
【００４９】
デパンクチャ処理部５３では復調された情報信号と制御信号に対し、畳み込み符号化時の符号化率に対応したデパンクチャ処理をする。デパンクチャ処理部５３の出力信号に対し、ビタビ復号処理部５４では、畳み込み符号化に対応したビタビ復号処理が行われる。次に情報信号は出力端子５５より情報信号復号部１２に、制御信号は出力端子５６より制御信号復号部１３にそれぞれ出力される。このとき、情報信号は図４に示すパケット構成の一例と同一のパケットとなっている。また、制御信号は図５に示すパケットの構成の一例と同一のパケットとなっている。
【００５０】
情報信号復号部１２では、ダイバーシチ受信モードおよび単一受信モード１の場合、ＲＳ符号の復号を行うことによって、誤りの有無を検出するとともに、情報信号再生部１４へ情報信号が出力される。また、誤りの有無の情報について、受信信号品質検出処理部１１へ出力する。一方、単一受信モード２の場合、情報信号復号部１２は、情報信号復号部電源制御部１８より出力される制御信号により、動作を停止する。
【００５１】
制御信号復号部１３ではＲＳ符号の復号を行うことによって、誤りの有無を検出する。制御信号の出力は解析された後、システムのパラメータ等、情報に変更がある場合にはその情報をベースバンド復調前処理部ａ３、ベースバンド復調前処理部ｂ７やベースバンド復調後処理部ａ１０へ出力する。また、誤りの有無の情報について、受信信号品質検出処理部１１へ出力する。
【００５２】
情報信号再生処理部１４では、ダイバーシチ受信モードおよび単一受信モード１の場合、情報信号復号部１２の出力信号である再生されたトランスポートストリームから、映像または音声の圧縮データを分離した後に復号し、表示部１５へ出力する。一方、単一受信モード２の場合、情報信号再生処理部１４は、情報信号再生処理部電源制御部１６により出力される制御信号により、動作を停止する。
【００５３】
表示部１５では、ダイバーシチ受信モードおよび単一受信モード１の場合、映像をＬＣＤなどの表示装置に表示するとともに、音声信号を再生する。一方、単一受信モード２の場合、表示部１５は、表示部電源制御部１７より出力される出力信号により、動作を停止する。
【００５４】
受信信号品質検出処理部１１の動作について説明する。初めに、情報信号の受信品質が良好で、ダイバーシチ受信モードから単一受信モード１に移行するときの動作について説明する。図１０に示す受信信号品質検出処理部１１において、入力端子ａ６０から入力される誤差信号は、推定誤差検出部６３において二乗誤差に変換される。次に、平均化処理部ａ６４において平均化が行われる。このとき、入力端子６１より入力される情報信号の誤り検出信号が、その平均化の期間において誤り無しに対応している場合には、平均化した結果を比較処理部ａ６６に出力する。一方、前記誤り検出信号が誤り有りに対応している場合には、平均化した結果は比較処理部ａ６６には出力しない。
【００５５】
比較処理部ａ６６では、予め定めていたしきい値と平均化処理部ａ６４の出力結果を比較して、平均化処理部ａ６４の出力値がしきい値より小さくなった場合には、単一ブランチ受信でも誤り無しとなる受信環境と判断して、単一受信モード１に移行するよう制御信号を受信処理部電源制御信号発生部６７、重み付け合成処理部制御信号発生部７２に対して出力する。
【００５６】
単一受信モード１の場合にアンテナａ１の受信信号を選択するように予め定めている場合には、受信処理部電源制御信号発生部６７では、受信処理部電源制御部ｂ８に対して給電停止の制御信号を出力する。一方、単一受信モード１の場合にアンテナｂ２の受信信号を選択するよう定めた場合には、受信処理部電源制御信号発生部６７では、受信処理部ａ４に対して給電停止の制御信号を出力する。
【００５７】
次に、移動等により受信環境が悪化して、ダイバーシチ受信を行っても正常な受信が困難になり、ダイバーシチ受信モードから単一受信モード２に移行するときの受信信号品質検出処理部１１の動作について説明する。
【００５８】
入力端子ｃ６２から入力される制御信号の誤り検出信号は平均化処理部ｃ６９で平均化され、比較処理部ｂ７０で許容値と比較される。そして、制御信号の誤り率が許容値以上の場合には、正常な受信ができないと判断して、単一受信モード２に移行するよう制御信号を受信処理部電源制御信号発生部６７、重み付け合成処理部制御信号発生部７２、情報信号再生処理部電源制御信号発生部７３に対して出力する。
【００５９】
単一受信モード２の場合にアンテナａ１の受信信号を選択するように予め定めている場合には、受信処理部電源制御信号発生部６７では、受信部電源制御部ｂ８に対して給電停止の制御信号を出力端子７５から出力する。一方、単一受信モード２の場合にアンテナｂ２の受信信号を選択するよう定めている場合には、受信処理部電源制御信号発生部６７では、受信処理部電源制御部ａ４に対して給電停止の制御信号を出力端子７４から出力する。また、情報信号再生処理部電源制御信号発生部７３では、情報信号再生処理部電源制御部１６、表示部電源制御部１７、情報信号復号部電源制御部１８に対して給電停止の制御信号を出力端子７７から出力する。
【００６０】
次に単一受信モード２の場合およびダイバーシチ受信モードへ移行するときの受信信号品質検出処理部１１の動作について説明する。入力端子ｃ６２から入力される制御信号の誤り検出信号は平均化処理部ｃ６９で平均化され、比較処理部ｃ７１で許容値と比較される。そして、制御信号の誤り率が許容値以下の場合には、正常な受信ができる状態になったと判断して、ダイバーシチ受信モードに移行するよう制御信号を受信処理部電源制御信号発生部６７、重み付け合成処理部制御信号発生部７２、情報信号再生処理部電源制御信号発生部７３に対して出力する。
【００６１】
単一受信モード２の場合にアンテナａ１の受信信号を選択するように定めていた場合には、受信処理部電源制御信号発生部６７では、受信処理部電源制御部ｂ８に対して給電再開の制御信号を出力端子７５から出力する。一方、単一受信モード２の場合にアンテナｂ５の受信信号を選択するよう定めていた場合には、受信処理部電源制御信号発生部６７では、受信処理部電源制御部ａ４に対して給電再開の制御信号を出力端子７４から出力する。また、情報信号再生処理部電源制御信号発生部７３では、情報信号再生処理部電源制御部１６、表示部電源制御部１７、情報信号復号部電源制御部１８に対して給電再開の制御信号を出力端子７７から出力する。
【００６２】
次に、単一受信モード１の場合および同モードからダイバーシチ受信モードへ移行するときの受信信号品質検出処理部１１の動作について説明する。入力端子ｂ６１から入力される情報信号の誤り検出信号は平均化処理部ｂ６８で平均化され、比較処理部ｂ７０で許容値と比較される。そして、情報信号の誤り率が許容値以下の場合には、単一ブランチでの受信では正常な受信が困難な状態になったと判断して、ダイバーシチ受信モードに移行するよう制御信号を受信処理部電源制御信号発生部６７、重み付け合成処理部制御信号発生部７２、情報信号再生処理部電源制御信号発生部７３に対して出力する。
【００６３】
単一受信モード１の場合にアンテナａ１の受信信号を選択するように定めていた場合には、受信処理部電源制御信号発生部６７では、受信処理部電源制御部ｂ８に対して給電再開の制御信号を出力端子７５から出力する。一方、単一受信モード１の場合にアンテナｂ２の受信信号を選択するよう定めていた場合には、受信処理部電源制御信号発生部６７では、受信処理部電源制御部ａ４に対して給電再開の制御信号を出力端子７４から出力する。
【００６４】
以上で明らかなように、この実施の形態１によれば、受信環境が良く、単一受信モード１への移行が可能かどうかを判断する基準として、情報信号から得られる二乗誤差の平均値を基準にしたことにより、妨害信号や、マルチパスがあり、電界強度を基準とした判断では適当なモード切替が行われない場合おいても、精度の良いモード切替が行われる。
【００６５】
以上で明らかなように、この実施の形態１によれば、ダイバーシチ受信モードと単一受信モード２の切替において、単一受信モード２への切り替えの判断時には、情報信号と比較して所要Ｃ／Ｎ比が低い制御信号の誤り率を基準に判断することによって、フェージングの影響による瞬時的な電界強度の落ち込みによって生じる誤動作を軽減することが可能になる。この実施の形態では、情報信号に対するパンクチャード畳み込み符号化率を１／２、変調方式を１６ＱＡＭとし、制御信号に対してはパンクチャード畳み込み符号化率を１／２、変調方式をＤＱＰＳＫとしているため、前述したように所要Ｃ／Ｎ比の差が５．３ｄＢとなり、この分フェージングに対する誤動作を防止することができる。
【００６６】
また、ダイバーシチ受信による所要Ｃ／Ｎ比の改善効果は、関、杉本：”地上デジタル放送のダイバーシチ受信による性能改善”，社団法人映像情報メディア学会技術報告  Ｖｏｌ．２５，Ｎｏ．３４，ＰＰ．１〜６  に記載されているように、一般的に６ｄＢ以上あることより、仮に６ｄＢとすると、図２におけるＥ１〜Ｅ４の関係は
Ｅ２＝Ｅ１−５．３ｄＢ          −−−−−式（１）
Ｅ３＝Ｅ１−６ｄＢ              −−−−式（２）
Ｅ４＝Ｅ１−１１．３ｄＢ        −−−−−式（３）
となる。よってこの実施の形態１によれば、Ｅ２とＥ３がほぼ同レベルであることより、単一受信モード２においては、制御信号の誤り率を基準にして、ダイバーシチ受信モードへの切替を判断することが可能になり、単一ブランチでの受信にもかかわらず、ダイバーシチ受信モードへの切替に対する正確な判断が可能となる。
【００６７】
実施の形態２．
図１１はこの発明の実施の形態２によるダイバーシチ受信装置を示す構成図であり、図において図１と同一符号は同一または相当部分を示すので説明は省略する。信号選択処理部２０１はベースバンド復調前処理部ａ３とベースバンド復調前処理部ｂ７の出力データに対して選択処理を行う。受信信号品質処理部２０２は信号選択処理部２０１の出力信号の品質を検出する。
【００６８】
図１２は図１１に示された信号選択処理部２０１の内部構成例を示すブロック図であり、入力端子ａ２１１はベースバンド復調前処理部ａ３の出力信号を入力する入力端子であり、入力端子ｂ２１２はベースバンド復調前処理部ｂ７の出力信号を入力する入力端子であり、入力端子２１３は受信信号品質検出処理部１１の出力信号を入力する入力端子である。推定誤差検出器ａ２１４はベースバンド復調前処理部ａ３出力の受信信号の二乗誤差を求める。推定誤差検出器ｂ２１５はベースバンド復調前処理部ｂ７出力の受信信号の二乗誤差を求める。
【００６９】
推定誤差検出器ａ２１４の出力値と推定誤差検出器ｂ２１５の出力値は、比較回路２１６で比較される。選択回路ａ２１７は、ベースバンド復調前処理部ａ３出力の受信信号かベースバンド復調前処理部ｂ７出力の受信信号を選択する。また、選択回路ｂ２１８は推定誤差検出器ａ２１４の出力信号か推定誤差検出器ｂ２１５の出力信号を選択する。出力端子２１９は選択処理結果をベースバンド復調後処理部１０に出力し、出力端子２２０は二乗誤差信号を受信信号品質検出処理部２０２に出力する。
【００７０】
次に動作を説明する。この発明の実施の形態２において、図１１における信号選択処理部２０１および受信信号品質検出処理部２０２以外の各部の動作は実施の形態１の動作と同一であるので説明を省略する。初めにダイバーシチ受信モードの場合の動作について説明する。推定誤差検出器ａ２１４では、入力端子ａ２１１から入力するベースバンド復調前処理部ａ３の出力信号に対し、１シンボル毎に、受信信号と変調方式によって定まるその受信信号に対する判定値の二乗誤差を算出した後にそれ以前のデータに対して数シンボルにわたって平均化を行いその演算結果を比較回路２１６に出力する。
【００７１】
推定誤差検出器ｂ２１５では、入力端子ｂ２１２から入力するベースバンド復調前処理部ｂ７の出力信号に対し、１シンボル毎に、受信信号と変調方式によって定まるその受信信号に対する判定値の二乗誤差を算出した後にそれ以前のデータに対して数シンボルにわたって平均化を行いその演算結果を比較回路２１６に出力する。
【００７２】
比較回路２１６では、推定誤差検出器ａ２１４および推定誤差検出器ｂ２１５の出力信号を１シンボル毎に比較し、誤差が小さい方の受信信号が選択回路ａ２１７で選択されるように制御信号を選択回路ａ２１７に出力する。また、誤差が小さい方の推定誤差検出器の出力が選択回路ｂ２１８で選択されるように制御信号を選択回路ｂ２１８に出力する。
【００７３】
選択回路ａ２１７では比較回路２１６の制御信号に従って、１シンボル毎にベースバンド復調前処理部ａ３の出力信号と、ベースバンド復調前処理部ｂ７の出力信号を選択して出力する。また、選択回路ｂ２１８では比較回路２１６の制御信号に従って、１シンボル毎に推定誤差検出器ａ２１４の出力信号と、推定誤差検出器ｂ２１５の出力信号を選択して出力する。
【００７４】
単一受信モード１および２の場合には、入力端子２１３より入力される制御信号に従い、動作している受信ブランチからの入力信号および誤差信号を選択するように比較回路２１６は選択回路ａ２１７、選択回路ｂ２１８に対して制御信号を出力する。
【００７５】
図１３に示す受信信号品質検出処理部２０２では、入力端子ａ６０から入力される二乗誤差信号に対して平均化処理部ａ６４において平均化を行う。それ以外の動作は実施の形態１での動作と同一であるので説明を省略する。
【００７６】
以上で明らかなようにこの実施の形態２においては、ダイバーシチ受信部において重み付け合成処理の代わりに選択処理を用いたことにより、回路規模を小さくすることができる効果を奏する。
【００７７】
実施の形態３．
図１４はこの発明の実施の形態３によるダイバーシチ受信装置を示す構成図であり、図において図１と同一符号は同一または相当部分を示すので説明は省略する。実施の形態３の構成は、アンテナａ１からの受信ＲＦ信号をベースバンド信号に変換する周波数変換部ａ３０２、周波数変換部ａ３０２の出力信号に対して復調に必要な信号処理の前半部分を行うベースバンド復調前処理部ａ３０３、周波数変換部ａ３０２及びベースバンド復調前処理部ａ３０３への供給電源を制御する受信処理部電源制御部ａ３０４、アンテナｂ５からの受信ＲＦ信号をベースバンド信号に変換する周波数変換部ｂ３０６、周波数変換部ｂ３０６の出力信号に対して復調に必要な信号処理の前半部分を行うベースバンド復調前処理部ｂ３０７、周波数変換部ｂ３０６及びベースバンド復調前処理部ｂ３０７への供給電源を制御する受信処理部電源制御部ｂ３０８を備えている。
【００７８】
さらに、ベースバンド復調前処理部ａ３０３の出力信号とベースバンド復調前処理部ｂ３０７の出力信号に対して重み付け合成をする重み付け合成処理部３０９、重み付け合成処理部３０９の出力信号に対して復調に必要な信号処理の後半部分を行うベースバンド復調後処理部３１０、重み付け合成処理部３０９の出力信号の品質を検出する受信信号品質処理部３１１、ベースバンド復調後処理部３１０の出力信号のうち制御信号を復号する制御信号復号部３１３を備えている。
【００７９】
図１５は、図１４に示された受信信号品質処理部３１１の内部構成例を示すブロック図であり、図において、図１０と同一符号は同一または相当部分を示すので説明は省略する。間欠受信制御部３２０は重み付け合成処理部３０９、ベースバンド復調後処理部３１０、制御信号復号部３１３に対して制御信号を出力端子３３１から出力する。比較処理部ｂ３３０は間欠受信制御部３２０へ制御信号を出力する。受信処理部電源制御信号発生部３３２は、間欠受信制御部３２０の制御信号により受信処理部電源制御部ａ３０４、受信処置部電源制御部ｂ３０８に対して制御信号を出力する。
【００８０】
次に動作を説明する。この発明の実施の形態３においては、図１４における周波数変換部ａ３０２、ベースバンド復調前処理部ａ３０３、受信処理部電源制御部ａ３０４、周波数変換部ｂ３０６、ベースバンド復調前処理部ｂ３０７、受信処理部電源制御部ｂ３０８、重み付け合成処理部３０９、ベースバンド復調後処理部３１０、受信信号品質処理部３１１、制御信号復号部３１３以外の各部の動作は実施の形態１での動作と同一であるので説明を省略する。
【００８１】
ダイバーシチ受信モードおよび単一受信モード１の場合、上記各部の動作は実施の形態１と同一である。ダイバーシチ受信モードから単一受信モード２へ移行した場合、比較処理部ｂ３３０は、間欠受信制御信号を間欠受信制御部３２０へ出力する。間欠受信制御部３２０は、間欠受信制御信号を受けた場合には、重み付け合成処理部３０９、ベースバンド復調後処理部３１０、制御信号復号部３１３に対してパルス信号を出力端子３３１より送出する。また、受信信号処理部電源制御信号発生部３３２に対しても同じ信号を送出する。
【００８２】
重み付け合成処理部３０９、ベースバンド復調後処理部３１０、制御信号復号部３１３では、間欠受信制御部３２０からの制御信号に合わせ、間欠的にのみ制御信号の復号および誤り検出を行いそれ以外の場合には動作を停止する。
【００８３】
受信処理部電源制御信号発生部３３２では、単一受信モード２の場合にアンテナａ１での受信が選択される場合には、間欠受信制御部３２０からの制御信号と同期させて、受信処理部電源制御部ａ３０４へ動作制御信号を送出する。また、単一受信モード２の場合にアンテナｂ５での受信が選択される場合には受信処理部電源制御部ｂ３０８へ、動作制御信号を送出する。
【００８４】
単一受信モード２の場合にアンテナａ１での受信が選択される場合には、受信処理部電源制御部ａ３０４は、周波数変換部ａ３０２、ベースバンド復調前処理部ａ３０３に対して間欠受信動作の制御を実施する。また、単一受信モード２の場合にアンテナｂ５での受信が選択される場合には、受信処理部電源制御部ｂ３０８は、周波数変換部ａ３０６、ベースバンド復調前処理部ａ３０７に対して間欠受信動作の制御を実施する。
【００８５】
以上で明らかなようにこの実施の形態３においては、単一受信モード２における受信復調、制御信号の復号および誤り検出を時間間隔を置いて実施し、この検出を実施していない期間においては、給電を停止するために、正常に受信ができない環境での受信において消費電力を低減することができる。
【００８６】
なお、上記実施の形態では、ブランチ、情報信号復号部、情報信号再生処理部、及び／または表示部への給電を停止する場合について説明したが、給電電力を低下させるだけでもよい。例えば表示部の明るさ及び／または輝度を低下させるだけでもよい。また、情報信号に音声情報が含まれる場合には、当該音声情報を出力するスピーカを更に備えてもよい。また、表示部の画面がオフになった場合に、あるいは画面の明るさ及び／または輝度が低下した場合に、当該スピーカからの音声出力をオン、オフ、または音量を低下させてもよい。
【００８７】
【発明の効果】
以上のように、この発明によれば、フェージング等による影響を軽減できるため、より精度の高い受信モードの切替がなされる。また、また、受信装置全体の消費電力を低減できる効果がある。
【図面の簡単な説明】
【図１】この発明の実施の形態１に係るダイバーシチ受信装置を示す構成図である。
【図２】実施の形態１に係るダイバーシチ受信装置の受信電界強度に対する動作の一例を示す概念図である。
【図３】送信装置の一例を示すブロック図である。
【図４】情報信号の構成の一例を示すイメージ図である。
【図５】制御信号の構成の一例を示すイメージ図である。
【図６】ＯＦＤＭ信号での情報信号と制御信号のキャリア配列を示すイメージ図である。
【図７】図１に示されたベースバンド復調前処理部の内部構成例を示すブロック図である。
【図８】図１に示された重み付け合成処理部の内部構成例を示すブロック図である。
【図９】図１に示されたベースバンド復調後処理部の内部構成例を示すブロック図である。
【図１０】図１に示された受信信号品質検出処理部の内部構成例を示すブロック図である。
【図１１】この発明の実施の形態２に係るダイバーシチ受信装置を示す構成図である。
【図１２】図１１に示された信号選択処理部の内部構成例を示すブロック図である。
【図１３】図１１に示された受信信号品質検出処理部の内部構成例を示すブロック図である。
【図１４】この発明の実施の形態３によるダイバーシチ受信装置を示す構成図である。
【図１５】図１４に示された受信信号品質検出処理部の内部構成例を示すブロック図である。
【符号の説明】
１  アンテナａ、                  ２  周波数変換部ａ、
３  ベースバンド復調前処理部ａ、  ４  受信処理部電源制御部ａ、
５  アンテナｂ、                  ６  周波数変換部ｂ、
７  ベースバンド復調前処理部ｂ、  ８  受信処理部電源制御部ｂ、
９  重み付け合成処理部、        １０  ベースバンド復調後処理部、
１１  受信信号品質検出処理部、    １２  情報信号復号部、
１３  制御信号復号部、            １４  情報信号再生処理部、
１５  表示部、                    １６  情報信号再生処理部電源制御部、
１７  表示部電源制御部、          １８  情報信号復号部電源制御部、
２０  入力端子、                  ２１  Ａ／Ｄ変換部、
２２  ディジタル直交復調処理部、  ２３  離散フーリエ変換部、
２４  出力端子、                  ３０  入力端子ａ、
３１  入力端子ｂ、                ３２  入力端子、
３３  乗算器ａ、                  ３４  乗算器ｂ、
３５  係数演算回路、              ３６  加算器、
３７  加算器、                    ３８  判定器、
３９  参照信号発生回路、          ４０  スイッチ回路、
４１  出力端子、                  ４２  出力端子、
５０  入力端子、                  ５１  ＯＦＤＭフレームデコード処理部、
５２  デマッピング処理部、        ５３  デパンクチャ処理部、
５４  ビタビ復号処理部、          ５５  出力端子、
５６  出力端子、                  ６０  入力端子ａ、
６１  入力端子ｂ、                ６２  入力端子ｃ、
６３  推定誤差検出部、            ６４  平均化処理部ａ、
６６  比較処理部ａ、              ６７  受信処理部電源制御信号発生部、
６８  平均化処理部ｂ、            ６９  平均化処理部ｃ、
７０  比較処理部ｂ、              ７１  比較処理部ｃ、
７２  重み付け合成処理部制御信号発生部、
７３  情報信号再生処理部電源制御信号発生部、
７４  出力端子ａ、                ７５  出力端子ｂ、
７６  出力端子、                  ７７  出力端子、
２０１  信号選択処理部、
２０２  受信信号品質検出処理部、  ２１１  入力端子ａ、
２１２  入力端子ｂ、              ２１３  入力端子、
２１４  推定誤差検出器ａ、        ２１５  推定誤差検出器ｂ、
２１６  比較回路、                ２１７  選択回路ａ、
２１８  選択回路ｂ、              ２１９  出力端子、
２２０  出力端子、                ３０２  周波数変換部ａ、
３０３  ベースバンド復調前処理部ａ、
３０４  受信処理部電源制御部ａ、  ３０６  周波数変換部ｂ、
３０７  ベースバンド復調前処理部ｂ、
３０８  受信処理部電源制御部ｂ、  ３０９  重み付け合成処理部、
３１０  ベースバンド復調後処理部、３１１  受信信号品質検出処理部、
３１３  制御信号復号部、          ３２０  間欠受信制御部、
３３０  比較処理部ｂ、            ３３１  出力端子、
３３２  受信処理部電源制御信号発生部。
【図１】
2004320528.tif 000003
【図２】
2004320528.tif 000004
【図３】
2004320528.tif 000005
【図４】
2004320528.tif 000006
【図５】
2004320528.tif 000007
【図６】
2004320528.tif 000008
【図７】
2004320528.tif 000009
【図８】
2004320528.tif 000010
【図９】
2004320528.tif 000011
【図１０】
2004320528.tif 000012
【図１１】
2004320528.tif 000013
【図１２】
2004320528.tif 000014
【図１３】
2004320528.tif 000015
【図１４】
2004320528.tif 000016
【図１５】
2004320528.tif 000017